(57)【要約】【課題】  フェース面に対して垂直な方向と平行な方向との２方向に目線のずれを視認でき、ボールの真上に、正しく目線を置くことができるようにしたゴルフクラブ及びゴルフクラブヘッドを提供する。【解決手段】  ヘッド２の上部のクラウン部１１に、フェース面に対して平行な第１の直線領域１２ａとフェース面に対して垂直な第２直線領域１２ｂとからなる目線確認部１２を設け、直線領域１２ａ及び直線領域１２ｂに複数の凹凸１５ａ、１５ｂを設けるようにする。目線が目線確認部１２の真上にあれば、目線確認部１２の直線領域１２ａ及び１２ｂは直線に見えるが、目線が直線領域からずれていると、目線確認部１２の直線領域１２ａ及び１２ｂがギザギザに見える。これにより、プレーヤは、フェース面に対して垂直な方向とフェース面に対して平行な方向の２方向に目線のずれを認識することができる。【選択図】        図２
0003113651.tif 000002
【実用新案登録請求の範囲】
【請求項１】
ヘッドと、シャフトと、グリップとを備え、
前記ヘッドの上部のクラウン部にフェース面に対して平行な第１の直線領域と前記フェース面に対して垂直な第２直線領域とからなる目線確認部を設け、
前記第１の直線領域及び前記第２の直線領域に複数の凹凸を設ける
ようにしたことを特徴とするゴルフクラブ。
【請求項２】
前記目線確認部は、前記第１の直線領域と前記第２の直線領域とをＴ字状に配列したことを特徴とする請求項１に記載のゴルフクラブ。
【請求項３】
前記目線確認部は、前記第１の直線領域と前記第２の直線領域とを十字状に配列したことを特徴とする請求項１に記載のゴルフクラブ。
【請求項４】
前記凸部は、前記クラウン部の上方に形成されるようにしたことを特徴とする請求項１に記載のゴルフクラブ。
【請求項５】
前記凹部は、前記クラウン部の下方内部に形成されるようにしたことを特徴とする請求項１に記載のゴルフクラブ。
【請求項６】
前記第１の直線領域及び第２の直線領域の凹凸は、凸形状の四角形が連結して形成されたパターンからなることを特徴とする請求項１に記載のゴルフクラブ。
【請求項７】
前記第１の直線領域及び第２の直線領域の凹凸は、凹形状の円弧の一部が連結して形成されたパターンからなることを特徴とする請求項１に記載のゴルフクラブ。
【請求項８】
前記第１の直線領域及び第２の直線領域の凹凸は、凸形状の三角形が連結して形成されたパターンからなることを特徴とする請求項１に記載のゴルフクラブ。
【請求項９】
前記第１の直線領域及び第２の直線領域の凹凸は、凸形状の円弧の一部が連結して形成されたパターンからなることを特徴とする請求項１に記載のゴルフクラブ。
【請求項１０】
クラウン部と、フェースとを有し、
前記クラウン部にフェース面に対して平行な第１の直線領域と前記フェース面に対して垂直な第２直線領域とからなる目線確認部を設け、
前記第１の直線領域及び前記第２の直線領域に複数の凹凸を設ける
ようにしたことを特徴とするゴルフクラブヘッド。
【考案の詳細な説明】
【技術分野】
【０００１】
本考案は、パターを打つときに用いて好適なゴルフクラブ及びゴルフクラブヘッドに関する。
【背景技術】
【０００２】
パターの打ち方の基本は、目線をボールの真上に正しく合わせ、目標となるラインに対して平行にスタンスをとり、ボールをフェース面に対して直角に当てて、ボールを打つことである。しかしながら、このような理想的な打ち方を保ってパターを打つことは難しい。
【０００３】
そこで、特許文献１には、パターヘッド上部がＴ字型に隆起しており、これを指標とすることで、アドレス時にフェースの向きを高精度に設定できる機構を有するものが提案されている。
【０００４】
また、特許文献２には、ヘッドの上面のクラウン部に、フェース面と平行方向に凹溝を複数刻設して形成した凹凸部を形成し、凹凸部にフェース面と直角方向の打球方向指示線を設けるようにしたものが提案されている。
【特許文献１】特開２００４−２８３３１８号公報
【特許文献２】特開２００２−２３９０４５号公報
【考案の開示】
【考案が解決しようとする課題】
【０００５】
特許文献１のものでは、アドレス時にフェースの向きを高精度に設定することについては記載されているが、目線をボールの真上に正しく合わせるものではない。
【０００６】
特許文献２では、凹凸がフェース面と平行な方向にのみ設けられている。目線がずれる方向としては、フェースに対して垂直な方向と、フェースに対して平行な方向とが想定されるが、特許文献２のものでは、一方向のずれしか視認できない。
【０００７】
本考案は、上述の課題を鑑み、フェース面に対して垂直な方向と、フェース面に対して平行な方向との２方向に目線のずれを視認でき、ボールの真上に、正しく目線を置くことができるようにしたゴルフクラブ及びゴルフクラブヘッドを提供することを目的とする。
【課題を解決するための手段】
【０００８】
本考案に係わるゴルフクラブは、ヘッドと、シャフトと、グリップとを備え、ヘッドの上部のクラウン部にフェース面に対して平行な第１の直線領域とフェース面に対して垂直な第２直線領域とからなる目線確認部を設け、第１の直線領域及び第２の直線領域に複数の凹凸を設けるようにしたことを特徴とする。
【０００９】
好ましくは、目線確認部は、第１の直線領域と第２の直線領域とをＴ字状に配列したことを特徴とする。
【００１０】
好ましくは、目線確認部は、第１の直線領域と第２の直線領域とを十字状に配列したことを特徴とする。
【００１１】
好ましくは、凸部は、クラウン部の上方に形成されるようにしたことを特徴とする。
【００１２】
好ましくは、凹部は、クラウン部の下方内部に形成されるようにしたことを特徴とする。
【００１３】
好ましくは、第１の直線領域及び第２の直線領域の凹凸は、凸形状の四角形が連結して形成されたパターンからなることを特徴とする。
【００１４】
好ましくは、第１の直線領域及び第２の直線領域の凹凸は、凹形状の円弧の一部が連結して形成されたパターンからなることを特徴とする。
【００１５】
好ましくは、第１の直線領域及び第２の直線領域の凹凸は、凸形状の三角形が連結して形成されたパターンからなることを特徴とする。
【００１６】
好ましくは、第１の直線領域及び第２の直線領域の凹凸は、凸形状の円弧の一部が連結して形成されたパターンからなることを特徴とする。
【００１７】
本考案に係るゴルフクラブヘッドは、クラウン部と、フェースとを有し、クラウン部にフェース面に対して平行な第１の直線領域とフェース面に対して垂直な第２直線領域とからなる目線確認部を設け、第１の直線領域及び第２の直線領域に複数の凹凸を設けるようにしたことを特徴とする。
【考案の効果】
【００１８】
本考案に係るゴルフクラブによれば、ヘッドと、シャフトと、グリップとを備え、ヘッドの上部のクラウン部にフェース面に対して平行な第１の直線領域とフェース面に対して垂直な第２直線領域とからなる目線確認部を設け、第１の直線領域及び第２の直線領域に複数の凹凸を設けるようにしている。目線が目線確認部の真上にあれば、目線確認部の直線領域は直線に見えるが、目線が直線領域からずれていると、目線確認部の直線領域がギザギザに見える。これにより、プレーヤは、フェース面に対して垂直な方向とフェース面に対して平行な方向の２方向に目線のずれを認識することができる。
【００１９】
本考案によれば、目線確認部は、第１の直線領域と第２の直線領域とをＴ字状に配列されている。また、目線確認部は、第１の直線領域と第２の直線領域とが十字状に配列されている。これにより、フェース面に対して垂直な方向とフェース面に対して平行な方向の２方向に目線のずれを認識することができる。
【００２０】
また、本考案によれば、凸部は、クラウン部の上方に形成されるようにしている。また、凹部は、クラウン部の下方内部に形成されるようにしている。これにより、クラウン部の第１の直線領域と第２の直線領域に、複数の凹凸を形成することができる。
【００２１】
また、本考案によれば、第１の直線領域及び第２の直線領域の凹凸は、凸形状の四角形が連結して形成されたパターンからなる。また、第１の直線領域及び第２の直線領域の凹凸は、凹形状の円弧の一部が連結して形成されたパターンからなる。また、第１の直線領域及び第２の直線領域の凹凸は、凸形状の三角形が連結して形成されたパターンからなる。また、第１の直線領域及び第２の直線領域の凹凸は、凸形状の円弧の一部が連結して形成されたパターンからなる。このような凹凸を形成すると、目線が目線確認部の真上にあれば、目線確認部の直線領域は直線に見えるが、目線が直線領域からずれていると、目線確認部の直線領域がギザギザに見えるようになる。
【００２２】
本考案に係るゴルフクラブヘッドによれば、クラウン部と、フェースとを有し、クラウン部にフェース面に対して平行な第１の直線領域とフェース面に対して垂直な第２直線領域とからなる目線確認部を設け、第１の直線領域及び第２の直線領域に複数の凹凸を設けるようにしている。目線が目線確認部の真上にあれば、目線確認部の直線領域は直線に見えるが、目線が直線領域からずれていると、目線確認部の直線領域がギザギザに見える。これにより、フェース面に対して垂直な方向とフェース面に対して平行な方向の２方向に目線のずれを認識することができる。
【考案を実施するための最良の形態】
【００２３】
第１実施形態．
以下、本考案の実施の形態について図面を参照しながら説明する。本考案が適用されたパターゴルフクラブ１は、図１に示すように、ヘッド２と、シャフト３と、グリップ４とを備える。
【００２４】
ヘッド２の上部のクラウン部１１には、図２に示すように、Ｔ字形の目線確認部１２が設けられる。目線確認部１２は、フェース１３のフェース面に平行な直線領域１２ａ（第１の直線領域）と、フェース１３のフェース面に垂直な直線領域１２ｂ（第２の直線領域）とを有している。目線確認部１２の直線領域１２ａには、図３に示すように、複数の凹凸１５ａが設けられ、目線確認部１２の直線領域１２ｂには、複数の凹凸１５ｂが設けられる。
【００２５】
このように、本考案の第１実施形態のパターゴルフクラブには、そのヘッド２のクラウン部１１に、Ｔ字形の目線確認部１２が設けられている。ゴルフのプレーヤは、パットを打つ際に、目線確認部１２の状態を確認し、目線確認部１２の直線領域１２ａ及び直線領域１２ｂが直線に見えるように目線を位置させることで、目線を正しい位置に置くことができる。
【００２６】
つまり、パットを打つ際には、図４に示すように、プレーヤは、本考案が適用されたパターゴルフクラブ１を構えて、ボール５を上から見る。このとき、プレーヤの目線がボール５の真上から見ている状態にあるのが理想であるが、目線がフェース面に対して垂直な方向（Ｘ方向）にずれている場合と、目線がフェース面に対して平行な方向（Ｙ方向）にずれている場合とが想定される。
【００２７】
ボール５の真上にプレーヤの目線がある場合には、図５（Ａ）に示すように、直線領域１２ａと直線領域１２ｂとは共に直線に見える。目線がフェース面に対して平行な方向（Ｙ方向）にずれている場合には、図５（Ｂ）に示すように、直線領域１２ｂがギザギザに見える。目線がフェース１３に対して垂直な方向（Ｘ方向）にずれている場合には、図５（Ｃ）に示すように、直線領域１２ａがギザギザに見える。プレーヤは、目線確認部１２の直線領域１２ａ及び直線領域１２ｂが共に直線に見えるように目線を位置させることで、ボール５の真上に目線を置くことができる。
【００２８】
第２実施形態．
図６は、本考案の第２実施形態を示すものである。前述の第１実施形態では、ヘッド２のクラウン部１１には、Ｔ字形の目線確認部１２を設けるようにしている。これに対して、この実施形態では、ヘッド２のクラウン部１１には、十字形の目線確認部１２を設けるようにしている。他の構成については、第１実施形態と同様であり、同一部分には同一符号を付し、その説明を省略する。このように、目線確認部１２は、フェース面に対して平行な第１の直線領域１２ａとフェース面に対して垂直な第２直線領域１２ｂとを有する構成であれば、どのような構成でも良い。
【００２９】
第３実施形態．
上述のように、本考案の実施形態では、目線確認部１２の直線領域１２ａ及び１２ｂに、複数の凹凸１５ａ及び凹凸１５ｂを設けるようにしている。第３実施形態では、目線確認部１２の直線領域１２ａ及び１２ｂに、凹凸１５ａ及び凹凸１５ｂのパターンを作る際に、図７（Ａ）に示すように、クラウン部１１の上方に突出する凸部３１を形成している。
【００３０】
第４実施形態．
第４実施形態では、目線確認部１２の直線領域１２ａ及び１２ｂに、凹凸１５ａ及び凹凸１５ｂのパターンを作る際に、図７（Ｂ）に示すように、クラウン部１１の内部に、凹部３２を形成している。
【００３１】
第５実施形態．
目線確認部１２の直線領域１２ａ及び１２ｂに形成する凹凸パターンとしては、図８〜図１１にその斜視図及び断面図で示すように、多数のパターンがある。第５実施形態では、図８（Ａ）及び図８（Ｂ）に示すように、凹凸１５ａ及び凹凸１５ｂのパターンを凸形状の四角形が連結して形成されたパターンとし、四角形の凸部４１と四角形の凹部４２とを形成している。
【００３２】
第６実施形態．
第６実施形態では、図９（Ａ）及び図９（Ｂ）に示すように、凹凸１５ａ及び凹凸１５ｂのパターンを凹形状の円弧の一部が連結して形成されたパターンとし、曲線状の三角形の凸部４３と曲線状の凹部４４とを形成している。
【００３３】
第７実施形態．
第７実施形態では、図１０（Ａ）及び図１０（Ｂ）に示すように、凹凸１５ａ及び凹凸１５ｂのパターンを凸形状の三角形が連結して形成されたパターンとし、三角形の凸部４５と逆三角形の凹部４６とを形成している。
【００３４】
第８実施形態．
第８実施形態では、図１１（Ａ）及び図１１（Ｂ）に示すように、凹凸１５ａ及び凹凸１５ｂのパターンを凸形状の円弧の一部が連結して形成されたパターンとし、曲線状の凸部４７と曲線状の逆三角形の凹部４８とを形成している。
【００３５】
凹凸１５ａ及び凹凸１５ｂのパターンとしては、図８〜図１１に示すパターンのうち、どのようなパターンを用いても良い。更に、これに限らず、真上から見ると直線状に見え、目線がずれると、ギザギザになるパターンであれば、どのようなパターンとしても良い。
【００３６】
本考案は、上述した実施形態に限定されるものではなく、本考案の要旨を逸脱しない範囲内で様々な変形や応用が可能である。
【産業上の利用可能性】
【００３７】
本考案は、パターゴルフクラブやクラブヘッドに適用できる他、計測器にも応用可能である。
【図面の簡単な説明】
【００３８】
【図１】本考案の第１実施形態のパターゴルフクラブの斜視図である。
【図２】本考案の第１実施形態の説明に用いる平面図である。
【図３】本考案の第１実施形態の目線確認部の説明に用いる斜視図である。
【図４】本考案の第１実施形態のパターゴルフクラブでゴルフボールを打つときの説明に用いる斜視図である。
【図５】本考案の第１実施形態のパターゴルフクラブでの目線合わせの説明図である。
【図６】本考案の第２実施形態の説明に用いる平面図である。
【図７】本考案の第３及び第４実施形態の説明図である。
【図８】本考案の第５実施形態の説明に用いる斜視図及び断面図である。
【図９】本考案の第６実施形態の説明に用いる斜視図及び断面図である。
【図１０】本考案の第７実施形態の説明に用いる斜視図及び断面図である。
【図１１】本考案の第８実施形態の説明に用いる斜視図及び断面図である。
【符号の説明】
【００３９】
１  パターゴルフクラブ
２  ヘッド
３  シャフト
４  グリップ
５  ボール
１１  クラウン部
１２  目線確認部
１２ａ、１２ｂ  直線領域
１３  フェース
１５ａ、１５ｂ  凹凸
３１  凸部
３２  凹部
４１、４３、４５、４７  凸部
４２、４４、４６、４８  凹部
【図１】
0003113651.tif 000003
【図２】
0003113651.tif 000004
【図３】
0003113651.tif 000005
【図４】
0003113651.tif 000006
【図５】
0003113651.tif 000007
【図６】
0003113651.tif 000008
【図７】
0003113651.tif 000009
【図８】
0003113651.tif 000010
【図９】
0003113651.tif 000011
【図１０】
0003113651.tif 000012
【図１１】
0003113651.tif 000013